(57)【要約】【課題】本発明は、熱電素子を利用する循環器が具備された美容マスクに関するものであり、特に美容に使われる顔面マスクの内側にシリコンオイルが注入されたウレタンパックを付着形成し、ウレタンパックの所定部位には熱電素子により加熱または冷却されたシリコンオイルが流入および流出されるチューブ管が連結され、ウレタンパックは流入されたシリコンオイルの温度により冷却または加熱され、人の顔面部位に冷温罨法効果を提供することにより顔の皮膚の代謝を促進させ、皮膚の弾力を向上させて皺を取除くことができるものである。【解決手段】本発明に係る美容マスクを使うと、冷温罨法作用の円滑な循環作用により皮膚の老化作用が抑制され、顔面の皮膚の皮下層に滞積された老廃物が排出され易くなり、冷温罨法作用により顔面の皮膚の血液循環が円滑になされる効果がある。【選択図】  図１
2005168782.tif 000002
【特許請求の範囲】
【請求項１】
軟質プラスチック材質で顔を覆うことができるように顔形状で形成された顔面マスク１０を構成され、上記顔面マスク１０の内面には上記顔面マスク１０に対応される形状で形成されたパック２０が付着され、上記パック２０の内部空間には所定の循環媒体が循環できる流路が形成され、上記パック２０の所定部位には上記循環媒体が流入されて上記流路で循環された後に流出されるためのチューブ管３０の一側が挿入連結され、上記チューブ管３０の他側は熱電素子により上記循環媒体の冷温調節が可能な循環器４０に連結されてなることを特徴とする熱電素子を利用する循環器が具備された美容マスク。
【請求項２】
前記循環媒体はシリコンオイルであることを特徴とする請求項１記載の熱電素子を利用する循環器が具備された美容マスク。
【請求項３】
前記循環器４０は、
上記連結されたチューブ管３０内の流入管３１と流出管３２間に配置されてポンプ作用による循環媒体の循環力を発生させるポンプ１２０；
上記ポンプ１２０から流出される循環媒体が通る経路の一部に配置され、認可されている電源の電流方向に従って冷温作動方向が転換されながら発熱作動および吸熱作動され、上記循環媒体の温度を調節する熱電素子１３０；
上記熱電素で発生する熱や冷気により、上記循環器４０外部ケース内部に蓄積される熱や冷気を外部に排出させるためのファンモーター１４０；
上記熱電素子の一側に配置され、電源を認可を受けて熱線から熱を発生させ、加熱された空気を上記熱電素子に排出して熱電素子の最初の駆動時に結露を防止するようにするファンヒーター１５０；および
設定された冷温作動により上記熱電素子１３０に認可されている電源の電流方向を転換させて供給し、上記ポンプ１２０のポンプ作用を制御するためのポンプ信号を上記ポンプ１２０に認可して上記循環媒体が循環する循環力を認可を受けるように制御し、上記ファンモーター１４０と上記ファンヒーター１５０に制御電源を認可しているコントローラー１１０；
で構成されていることを特徴とする請求項１記載の熱電素子を利用する循環器が具備された美容マスク。
【請求項４】
前記循環媒体は２０度〜４５度の範囲で冷却または加熱されることを特徴とする請求項１記載の熱電素子を利用する循環器が具備された美容マスク。
【発明の詳細な説明】
【技術分野】
【０００１】
本発明は、熱電素子を利用する循環器が具備された美容マスクに関するものであり、特に美容に使われる顔面マスクの内側にシリコンオイルが注入されたウレタンパックを付着形成し、ウレタンパックの所定部位には熱電素子により加熱または冷却されたシリコンオイルが流入および流出されるチューブ管が連結され、ウレタンパックは流入されたシリコンオイルの温度により冷却または加熱され、人の顔面部位に冷温罨法効果を提供することにより顔の皮膚の代謝を促進させ、皮膚の弾力を向上させて皺を取除くことができるようにしたものである。
【０００２】
一般的に、人体の皮膚は２０代後半を過ぎると共に老化現象が始まり、皺ができ始め、特に顔面の皮膚の皮下層は他の身体部位に比べて厚さが相対的に薄いため皺が早く生じ、身体の中で外部に最も多く露出されている関係で、外部の環境の変化により敏感に反応する部位でもある。従って、皮膚の老化防止と皮膚の弾力維持のために皮膚の清潔と共に自分の皮膚の条件に合う正確な皮膚化粧および適当なマッサージが必要であり、さらに化粧およびマッサージをする前に基本的に湯で洗顔をすると、皮膚の毛穴が膨張することにより皮膚の弾力が落ち、このとき冷水や他の方法で皮膚の温度を下げることにより皮膚の弾力を維持させ老化を防ぐことができる。
【背景技術】
【０００３】
従来は、このような老化作用を抑制させたり顔面の皮膚の皮下層に滞積された老廃物を取除くために、マッサージ用クリーム、栄養クリーム等の機能性を主とする塗布剤を顔面に塗布した後、マスクを着用したり、韓国特許第２９１０１１号（２００１年３月７日登録）の美容マッサージマスクを顔面の皮膚に着用する方法等を用いてきた。
【０００４】
そして、最近は韓国特許出願番号１０−１９９８−００３８２２９のように、マスクの内側に遠赤外線を放射する物質を塗布した美容マスク、またはマスクの内部に磁石を挿入して磁気場によって血液循環を助ける美容マスク等のような様々な機能を有する機能性美容マスクが提示されている。
【０００５】
【特許文献１】韓国特許第２９１０１１号公報
【特許文献２】韓国特許出願番号１０−１９９８−００３８２２９
【発明の開示】
【発明が解決しようとする課題】
【０００６】
即ち、このよう大部分の美容マスクは一般的に冷罨法または温罨法のうちの一つの機能のみを利用することができ、このような冷罨法または温罨法のために内容物を入れ、密封させたパックを冷蔵庫や電子レンジに入れて約２〜３時間または２〜３分程度冷たく又は熱くさせた後、取出して顔に着用してマッサージをすることになり、このような罨法方法は、風呂場で水と湯に交互に浸かりながら冷温浴をするような確実な冷温マッサージ効果を得るには多少の問題があった。
【０００７】
本発明は、上記のような問題を解決するためのものであり、本発明の目的は美容に使われる顔面マスクを反復的に冷却および加熱を遂行できる構成を提供することにあり、又このような構成による顔面マスクを使用することにより人の顔面の部位に冷温罨法効果を提供できるようにし、顔の皮膚の代謝を促進させ皮膚の弾力を向上させることができることにある。
【課題を解決するための手段】
【０００８】
上記のような課題を解決するための本発明に係る熱電素子を利用する循環器が具備された美容マスクは、
【０００９】
軟質プラスチック材質で顔を覆うことができるように顔形状で形成された顔面マスクを構成されているが、上記顔面マスクの内面に上記顔面マスクに対応される形状で形成されたパックが付着され、上記パックの内部空間には所定の循環媒体が循環できる流路が形成され、上記パックの所定部位には上記循環媒体が流入されて上記流路で循環された後に流出されるためのチューブ管の一側が挿入連結され、上記チューブ管の他側は熱電素子により上記循環媒体の冷温調節が可能な循環器に連結されることを特徴とする。
【００１０】
好ましくは、上記チューブ管は流出管が一つの保護カバー内に位置されるように構成され得、上記循環媒体としてはシリコンオイルが利用され得る。
【００１１】
そして、上記循環器は、上記連結されたチューブ管内の流入管と流出管の間に配置され、ポンプ作用による循環力を発生させるポンプ；上記ポンプから流出される循環媒体が通る経路の一部に配置され、認可される電源の電流方向に従って冷温作動方向が転換されながら発熱作動および吸熱作動され、上記循環媒体の温度を調節する熱電素子；上記熱電素子で発生する熱や冷気により、上記循環器外部ケース内部に蓄積される熱や冷気を外部に排出させるためのファンモーター；上記熱電素子の一側に配置され、電源を認可を受けて熱線から熱を発生させ、加熱された空気を上記熱電素子に排出して熱電素子の最初の駆動時に結露を防止するためのファンヒーター；および設定された冷温作動により上記熱電素子に認可される電源の電流方向を転換させて供給し、上記ポンプのポンプ作用を制御するためのポンプ信号を上記ポンプに認可して、上記循環媒体が循環する循環力を認可を受けるように制御し、 上記ファンモーターと上記ファンヒーターに制御電源を認可するコントローラー；で構成されていることを特徴とする。
【００１２】
そして、上記パックの内部面は抗菌性塗料が塗布され、抗菌、補助キャップ機能を有するように構成され、バイオセラミック成分が塗布されていて有害な菌の殺菌および二次的毒素の分解および抗カビ性を有するように構成されることができる。
【００１３】
また、上記循環媒体の温度は、２０〜４０の範囲内で冷却または加熱され、冷罨法または温罨法を反復的に遂行することが可能なように構成され、使用者の顔の皮膚の代謝を促進させ皮膚の弾力を向上させることができるように構成されている。
【発明の効果】
【００１４】
本発明に係る美容マスクは、認可されている電源の方向に従い冷却または加熱を行うことができる熱電素子が具備された循環器を利用することにより、使用者が直接冷蔵庫や電子レンジ等に入れて冷却または加熱をする必要がなく楽に使用することができる長所がある。
【００１５】
そして、冷温罨法作用の円滑な循環作用により、皮膚の老化作用が抑制され、顔面の皮膚の皮下層に滞積された老廃物が外部に排出され易くすることができる。
また、このように便利な冷温罨法作用により、顔面の皮膚の血液循環が円滑に成される効果があり、皮膚が弾力的になる効果があり、皮膚が冷温罨法により弾力を取戻すことにより、皺が取除かれる効果がある。
【発明を実施するための最良の形態】
【００１６】
以下、添付した図面を用いて本発明の好ましい実施例について詳しく説明する。
【００１７】
下記で本発明の好ましい実施例を説明するが、関連する公知の機能または構成に対する具体的な説明が本発明の要旨を不必要に濁すと思われる場合は、それに対する詳細な説明は省略することにし、又後述される用語は本発明の機能を考慮して任意で設定された用語が使われており、これは生産者の意図または慣例に従い異なり得るため、その定義は本明細書全般にわたる内容を基にされなければならない。
【００１８】
まず、図１に開示された分解斜視図を利用して、本発明の好ましい実施例を説明する。
【００１９】
図１の顔面マスク１０は、軟質のプラスチック材料を利用して人の顔面に対応する形状のマスクで形成され、使用者が顔面マスク１０を顔に着用したとき、目、鼻、口部位が貫通されるように形成され、視野が確保されて呼吸が可能なように形成されている。
【００２０】
そして、顔面マスク１０に対応される形状を有するように、目、鼻、口部位が貫通されるように形成されたウレタン材質のパック２０は、顔面マスク１０の内部面にラミネーティングされ、パック２０の内部空間には図４に図示されたような流路を有するように形成されている。
【００２１】
顔面形状に形成されたパック２０で、人体のあご部分に該当する部位には、循環媒体の流入と流出のためのチューブ管３０がパック２０の内部空間に挿入されるように連結され、チューブ管３０の一側がパック２０に連結される部位は、パック２０と循環器４０の間をチューブ管３０を通して循環する循環媒体が漏れ出すのを防止するためにシリコンにより密封処理されている。
【００２２】
そして、パック２０の表面のうち、人が着用したときに皮膚が接触する面は有害な菌の殺菌および毒素を取除くことができるバイオセラミックのような抗菌、防臭機能を有する抗菌性塗料が塗布されている。
【００２３】
図３の断面図では、顔面マスク１０とこれに付着されたパック２０の断面を表しており、チューブ管３０を通してパック２０に入力されているシリコンオイルが循環することができる空間部が形成されていることが分かる。
【００２４】
また、ウレタンパック２０内の流路を表すための図４の断面図は、チューブ管３０を通して入力されたシリコンオイルが、パック２０内の空間部に形成されている流路に沿って隅々まで循環されるように形成された流路用突出部２１が図示されており、図面上に表された矢印はシリコンオイルの流れの方向を表しているものである。
【００２５】
チューブ管３０としては、図２のブロック図で一部図示されたように、流入管３１と流出管３２が同時に内在されるように保護カバー３３で囲んだ管が使われており、チューブ管３０の一側末端は上述のようにパック２０に挿入連結され、他側末端は後述される循環器４０に連結され、図２のような循環媒体の循環が成されて冷温調節が可能なように構成されている。
【００２６】
そして、本発明の循環媒体として好ましくはシリコンオイルを使うが、循環器４０のコントローラー１１０で制御されるシリコンオイルの温度調節範囲は、約２０〜４５℃の間で設定される。
【００２７】
また、循環器４０は図１で図示したように外箱表面に電源スイッチ４１、機能選択スイッチ４２および画面表示部４３等が具備されているが、電源スイッチ４１は循環器４０に電源が供給されるように選択ボタンとして構成され、機能選択スイッチ４２は、冷罨法、温罨法または冷温自動調節のように色々設定された機能を選択することができるように選択スイッチで構成され、画面表示部４３は、循環器４０により冷温調節されるシリコンオイルとパック２０の温度と作動時間、現在時間、現在の動作状態等を表すために液晶表示装置または発光ダイオード等で画面が構成されている。
【００２８】
図２は、本発明に係る循環器４０の構成を表すためのブロック図であり、循環器４０は、チューブ管３０の他側末端が連結される外箱内部に図２のようにコントローラー１１０、ポンプ１２０、熱電素子１３０、ファンモーター１４０、ファンヒーター１５０等を有するように構成され、循環器４０の構成に対し、より具体的に説明すると、次の通りである。
【００２９】
チューブ管３０の流入管３１を通して循環器４０内部に入力されている循環媒体であるシリコンオイルの移動経路に沿って行くと、コントローラー１１０により制御されるように構成されたポンプ１２０が具備されている。
【００３０】
ポンプ１２０は循環水ポンプタイプが使われており、流入管３１を通して入力されたシリコンオイルを流出管３２側に押出すようにして構成されている。
【００３１】
熱電素子１３０は、金属と半導体間のエネルギー準位差を利用して電荷運搬物の運動により電気的エネルギーを熱エネルギーに転換する熱電効果（いわゆるペルチェ効果）を利用する素子で、認可されている電圧の極性が変わると、熱を発生したり、熱を吸収する現象を発生させ、別個の冷媒を使わなくても冷却と加熱がなされるように構成されている。
【００３２】
このように熱電素子１３０は、ポンプ１２０から出力される流出管３２が通る経路にコントローラー１１０から認可されている制御電源により流出管３２内のシリコンオイルを加熱または冷却させることができるように配置され、急激な温度変化によって発生し得る結露現象から素子を保護するため、アルミニウムダイカストされたカバーにより密封されたものが利用されている。
【００３３】
そして、熱電素子１３０で加熱または冷却により外箱内部に蓄積される高温または低温の空気を外部に排出するためのファンモーター１４０が、コントローラー１１０に連結されて外箱内部の空気を外部に排出するように構成されている。
【００３４】
また、ファンヒーター１５０は、アルミニウムダイカストにより一次的に結露現象から保護される熱電素子１３０をより安全に保護するために追加される構成で、熱電素子１３０の一側に配置して循環器４０を最初に駆動するとき、熱電素子１３０に生じている可能性もある露を取除くために熱い空気を約２〜３秒間瞬間的に排出するように構成されている。これにより、最初の駆動時に熱電素子１３０の一次的な結露現象を防止することができるようになる。
【００３５】
コントローラー１４０はマイコンで構成され、循環器４０の外箱に形成された機能選択スイッチ４２を冷罨法、温罨法、または冷温自動調節等の機能を選択して機能選択信号を受け、認可を受けた機能選択信号に従い熱電素子１３０を駆動して冷却、加熱または冷温反復制御信号を認可するように構成され、熱電素子１３０に制御信号を認可することに前にファンヒーター１５０を瞬間的に駆動させて熱電素子１３０上に生じている可能性もある露を取除く。
【００３６】
そして、コントローラー１１０は熱電素子１３０を駆動させて流出管３２内のシリコンオイルが加熱、冷却または冷温反復等が作動されると、シリコンオイルが循環力を認可を受けて流出管３２、チューブ管３０、パック２０、流路、流入管３１を経て再びポンプ１２０に循環されるようにポンプ１２０を駆動させるように構成される。
【００３７】
以上、具体的に述べたような循環器４０を具備した美容マスク１００の使用による作用を説明する。
【００３８】
使用者は、まず本発明に係る美容マスク１００を顔面に着用した後、循環器４０の電源スイッチ４１をオンにすることにより電源が入り、機能選択スイッチ４２で自分が望む機能を選択する。
【００３９】
循環器４０で選択可能な機能としては、冷罨法、温罨法および冷温罨法等の機能があり、単純加熱または冷却のみを行う冷罨法や温罨法については説明を省略し、使用者が冷温罨法機能を選択した場合についてのみ説明する。
【００４０】
使用者が冷温罨法機能を選択すると、コントローラー１１０は先ずファンヒーター１５０を約２〜３秒間駆動させて熱電素子１３０上に生じている可能性もある露を取除き、ポンプ１２０にポンプ駆動電源を認可して循環媒体として使用されるシリコンオイルに循環力を提供する。
【００４１】
循環力を提供されたシリコンオイルは、流出管３２を通して循環を始め、循環されるシリコンオイルは、熱電素子１３０がある部分を通りながら冷却または加熱されてチューブ管３０に認可され、チューブ管３０に認可されたシリコンオイルは流出管３２を通ってウレタンパック２０に流入される。
【００４２】
パック２０に流入されたシリコンオイルは、パック２０内の空間部に形成された流路用突出部２１によりガイドされて空間部内部を円滑に循環した後、流入管３１を通って流出され、循環器４０側に入力される過程を経て循環される。
【００４３】
このような過程を経て、ウレタンパック２０内に存在するようになるシリコンオイルの温度は、使用者が望む冷温罨法に該当する温度に制御され、例えば冷温の順序に設定されているとすれば、２０度に冷却されて数分または数十分程度持続した後で４５度に加熱され、再び数分または数十分程度持続される作動を反復するようになる。
【００４４】
このような冷温罨法を反復的に行うと、人の顔面部位に冷温罨法効果を反復的に提供することにより、顔の皮膚の代謝を促進させ、皮膚の弾力が向上されて皺も取除くことができる。
【００４５】
上述したように、本発明の好ましい実施例について詳しく説明したが、本発明の分野に属する通常の知識を有する者であれば、本発明の精神および範囲を外れない範囲内で変形または変更して実施することができ、本発明の真の技術的保護範囲は特許請求の範囲により判断されなくてはならない。
【図面の簡単な説明】
【００４６】
【図１】本発明に係る美容マスクの好ましい実施例を表すための分解斜視図である。
【図２】本発明の美容マスクにおける循環器の構成を示すブロック図である。
【図３】本発明に係る美容マスクの断面図である。
【図４】本発明の美容マスクにおけるウレタンパック内の流路を示す断面図である。
【図５】本発明に係る美容マスクの着用例を示す説明図である。
【符号の説明】
【００４７】
１０−顔面マスク
２０−パック
３０−チューブ管
３１−流入管
３２−流出管
４０−循環器   
４１−電源スイッチ
４２−機能選択スイッチ
４３−表示部
１１０−コントローラー
１２０−ポンプ
１３０−熱電素子
１４０−ファンモーター
１５０−ファンヒーター
【図１】
2005168782.tif 000003
【図２】
2005168782.tif 000004
【図３】
2005168782.tif 000005
【図４】
2005168782.tif 000006
【図５】
2005168782.tif 000007